(57)【特許請求の範囲】
【請求項１】
移動する物体に搭載され、固定のＩＰネットワークに接続された複数のＶＰＮに夫々属し、一緒に移動する複数のサブネットワークを管理するモバイルルータと、
夫々異なる無線通信可能範囲を担当し、無線通信可能範囲内に移動してきたモバイルルータと無線通信するする複数の無線基地局と、
ＩＰネットワーク上に存在し、複数の無線基地局に夫々対応して接続される複数の外部エージェントと
夫々のVPNをホームリンクとするサブネットワークの位置登録情報の管理を行う複数のホームエージェントとを備え、
上記ホームエージェントは
搭載物体の移動により自己の管理するサブネットワークの位置登録情報の変更をモバイルルータから受信したとき、その位置登録情報の位置登録処理をするとともに他のVPNに属するサブネットワークの位置登録情報を導出して、導出した位置登録情報を該当するホームエージェントへ送信するか、または他ホームエージェントから位置登録情報が通知されたときは位置登録を更新する構成にされたことを特徴とする端末移動管理システム。
【請求項２】
上記モバイルルータは複数の無線アクセス手段を用いて夫々に異なる方式の通信を併用する場合、一つの無線アクセス手段の位置登録情報をホームエージェントへ送信し、
ホームエージェントは、当該位置登録情報の位置登録処理をすると共に、当該位置登録情報に基づき他の無線アクセス手段に対する位置登録情報を導出して、他の無線アクセス手段に対する位置登録処理をすることを特徴とする請求項１記載の端末移動管理システム。
【請求項３】
上記ホームエージェントは、通知された一つの位置登録情報から他の位置登録情報を導出し、導出した位置登録の更新を行うが、更新した段階ではパケットの転送を保留とし、モバイルルータから本当の位置登録通知が到着した段階でパケットの転送を開始する構成にされたことを特徴とする請求項１又は請求項２記載の端末移動管理システム。
【請求項４】
異なるVPNに属する複数のサブネットワークをモバイルルータがモバイルネットワークとして配下に管理する場合、モバイルルータは代表して一つのサブネットワークに対する位置登録情報のみ該当するホームエージェントへ送信する構成にされたことを特徴とする請求項１記載の端末移動管理システム。
【請求項５】
ホームエージェントは、自装置が管理する移動端末のホームアドレスと連携する他ホームアドレスとそのホームアドレスを管理するホームエージェント情報を含むＨＡ連携情報を格納するＨＡ連携情報格納部を有し、
モバイルルータは初期動作として上記ＨＡ連携情報をホームエージェントに通知する構成にされたことを特徴とする請求項１乃至４の何れかに記載の端末移動管理システム。
【請求項６】
移動する同一物体に搭載され、夫々が単一の無線或いは一つのＶＰＮを終端する複数個のモバイルルータと、
夫々異なる無線通信可能範囲を担当し、無線通信可能範囲内に移動してきたモバイルルータと無線通信するする複数の無線基地局と、
ＩＰネットワーク上に存在し、複数の無線基地局に夫々対応して接続される複数の外部エージェントと
夫々のVPNをホームリンクとする移動端末ならびにサブネットワークの位置登録情報の管理を行う複数のホームエージェントとを備え、
各モバイルルータは初期動作として、位置登録情報を相互に通知した後、夫々自己のホームエージェントへ自己の位置登録情報と他のモバイルルータの位置登録情報から関連を持つ位置登録情報の組を通知し、
各ホームエージェントはモバイルルータから通知された関連を持つ位置登録情報格納するＨＡ連携情報格納部を有することを特徴とする端末移動管理システム。
【発明の詳細な説明】
【技術分野】
【０００１】
この発明は移動端末の位置情報を移動端末が属するVPN(Virtual Private Network)のホームエージェントに登録する端末移動管理システムに関する。また、移動端末が複数のアクセス手段を併用してもち、位置情報をアクセス手段毎に登録する端末移動管理システムに関する。
【背景技術】
【０００２】
移動車両等に存在する移動端末が複数の無線アクセス手段を併用して地上ネットワークと接続し、異にする方式の通信を行う場合、従来の端末移動管理システムでは、個別の無線アクセス手段を通じてモバイルIP(Internet Protocol)による位置登録（移動端末のホームアドレスと移動先での気付けアドレスの対応関係）を、移動端末の位置管理を行うホームエージェントへ、無線アクセス毎に通知していた（例えば、非特許文献１）。
【０００３】
また、上記システムの拡張として、移動車両内に異なるVPN(Virtual Private Network)に所属するサブネットワークが存在し、移動車両上のモバイルルータがそれらサブネットワークの移動を管理する場合がある。各サブネットワークが所属するVPNには、それぞれ移動端末やモバイルルータと共に移動するサブネットワーク（モバイルネットワーク）の位置管理を行うホームエージェントが存在しており、モバイルルータは、各サブネットワークに対する位置登録を対応するVPNのホームエージェントへ送付していた。
【０００４】
【非特許文献１】M.Buddhikot, et. al、「Design and Implementation of a WLAN/CDMA2000 Interworking Architecture」、IEEE Communications Magazine、Vol.41 No.11、November 2003.
【発明の開示】
【発明が解決しようとする課題】
【０００５】
移動車両内に異なるVPNに属するサブネットワークが存在する場合、それらサブネットワークは絶えず同じ無線エリアに存在するが、モバイルルータは各サブネットワークが所属するVPNのホームエージェントにそれぞれ位置登録情報を送付しなければならず、処理効率が悪かった。
また、複数の無線アクセス手段を併用して移動車両と地上ネットワークを接続し、異なる方式の通信を行う場合、たとえ各無線エリア配置関係が管理され、一つの無線アクセス手段の位置登録から、他の無線アクセス手段の位置登録内容が確定できる場合でも、移動端末またはモバイルルータはそれぞれの無線アクセス手段毎に位置登録を行う必要があり、処理効率が悪かった。
【０００６】
この発明は上記のような問題点を解決するためになされたもので、移動車両内に異なるVPNに所属するサブネットワークが存在する場合、一つのVPNに属するサブネットワークの位置登録情報に基づき、別のVPNに属するサブネットワークの位置登録を更新することを可能とする端末移動管理システムを実現する。
また、複数の無線アクセス手段を併用して移動車両と地上ネットワークを接続し、異なる方式の通信を行う場合、ある一つの無線アクセス手段による位置登録情報に基づき、他の無線アクセ手段からの位置登録情報がなくても、位置登録を更新することにより、高速なハンドオーバーが可能な端末移動管理システムを得ることを目的とする。
【課題を解決するための手段】
【０００７】
この発明に係る端末移動管理システムは、
移動する物体に搭載され、固定のＩＰネットワークに接続された複数のＶＰＮに夫々属し、一緒に移動する複数のサブネットワークを管理するモバイルルータと、
夫々異なる無線通信可能範囲を担当し、無線通信可能範囲内に移動してきたモバイルルータと無線通信するする複数の無線基地局と、
ＩＰネットワーク上に存在し、複数の無線基地局に夫々対応して接続される複数の外部エージェントと
夫々のVPNをホームリンクとするサブネットワークの位置登録情報の管理を行う複数のホームエージェントとを備え、
上記ホームエージェントは
搭載物体の移動により自己の管理するサブネットワークの位置登録情報の変更をモバイルルータから受信したとき、その位置登録情報の位置登録処理をするとともに他のVPNに属するサブネットワークの位置登録情報を導出して、導出した位置登録情報を該当するホームエージェントへ送信するか、または他ホームエージェントから位置登録情報が通知されたときは位置登録を更新する構成にされたものである。
【０００８】
また、上記モバイルルータは複数の無線アクセス手段を用いて異なる方式の通信を併用する場合、一つの無線アクセス手段の位置登録情報をホームエージェントへ送信し、ホームエージェントは、当該位置登録情報の位置登録処理をすると共に、当該位置登録情報に基づき他の無線アクセス手段に対する位置登録情報を導出して、他の無線アクセス手段に対する位置登録処理をする構成にされたものである。
【発明の効果】
【０００９】
この発明に係る端末移動管理システムは、モバイルルータがＩＰネットワーク上に存在する外部エージェントと接続された何れか一つの無線基地局の無線通信可能範囲に移動したとき、一つのホームエージェントに対して該当する位置登録情報を送信する。送出されたホームエージェントは位置登録処理をすると共にこの位置登録情報から別のVPNに属するサブネットワークの位置登録情報を導出し、別のVPNに存在するホームエージェントに通知し、別のホームエージェントが位置登録の更新を行うことを可能としたので、高速なハンドオーバー方式を得ることができる。
【００１０】
また、ホームエージェントが一つの無線アクセス手段に対する位置登録情報から別の無線アクセス手段に対する位置登録の更新を行うことを可能としたので、高速なハンドオーバを得ることができる。
【発明を実施するための最良の形態】
【００１１】
実施の形態１．
図１はこの発明の端末移動管理システムの実施の形態１におけるネットワーク構成の一例を示す図である。
図１において、IPネットワーク(114)は一般IPアドレス体系をもつ固定ネットワーク、VPN1(106)とVPN2(107)はそれぞれ別個のプライベートネットワークを構成するVPN、GW1(112)は固定のIPネットワーク(114)とVPN1(106)を接続するVPNゲートウェイ装置、GW2(113)は固定のIPネットワーク(114)とVPN2(107)を接続するVPNゲートウェイ装置、HA1(104)はVPN1(106)をホームリンクとする移動端末ならびにモバイルネットワークの位置管理を行うモバイルIPのホームエージェント、HA2(105)はVPN2(107)をホームリンクとする移動端末ならびにモバイルネットワークの位置管理を行うモバイルIPのホームエージェントである。
【００１２】
MR(101)はIPネットワーク(114)との接続ポイントが変更になったときにMR(101)と共に移動する配下のサブネットワークを含めた位置登録を行うモバイルルータ、Subnet1(102)ならびにSubnet2(103)はそれぞれVPN1(106)とVPN2(107)に属するサブネットワークで、モバイルルータMR(101)をデフォルトゲートウェイとしてMR(101)と共に移動するモバイルネットワーク、FA1(108)とFA2(109)は移動端末ならびにモバイルネットワークに対しては外部リンクとなるIPネットワーク(114)上に存在する外部エージェント、無線基地局1(110)と無線基地局2(111)は固定のIPネットワーク(114)に接続し、モバイルルータMR(101)に無線アクセス手段を提供する無線基地局である。
【００１３】
尚、図１ではVPNをVPN1(106)とVPN2(107)の二つ、外部エージェントをFA1(108)とFA2(109)の二つ、モバイルルータMR(101)配下のモバイルネットワークをSubnet1(102)とSubnet2(103)の二つ設定する構成を示したが、これ等は任意の数だけ設定することが可能である。また、外部エージェントFA1(108)ならびに外部エージェントFA2(109)にもそれぞれ任意数の無線基地局を設定可能である。
【００１４】
図２は、この実施の形態１にかかるホームエージェントHA1 (104), HA2 (105)の概略構成を模式的に示すブロック図である。このホームエージェントHA1 (104), HA2 (105)は、VPN1(106)、VPN2(107)、ならびにIPネットワーク(114)に接続される他の通信機器との通信を行う通信部(201)と、自装置が管理するモバイルルータMR(101)などの移動通信端末やモバイルネットワークの接続位置を管理する位置登録管理部(203)と、位置登録管理部(203)によって取得された移動端末の気付アドレスやモバイルネットワークのプレフィックスなどの位置登録情報を格納する位置登録情報格納部(205)と、自装置で管理する移動端末宛のデータを位置登録情報に基づいて転送したり自装置で管理する移動端末からのデータを宛先のノードに転送したりする処理を行う転送処理部(202)と、一つの位置登録情報から導出される他のVPNに属するサブネットワークの位置登録情報を該当するホームエージェントへ通知したり、他のホームエージェントから通知される自装置に関する位置登録情報を処理するHA連携処理部(204)と、自装置が管理する移動端末のホームアドレスと連携する他ホームアドレスとそのホームアドレスを管理するホームエージェント情報といったHA連携処理部(204)が利用する情報が予め格納されているHA連携情報格納部(206)を備えて構成される。
このホームエージェントHA1 (104), HA2 (105)によって、位置登録から導出される他のVPNの位置登録情報が他ホームエージェントに通知される。
【００１５】
図３は、この実施の形態１にかかるモバイルルータMR(101)の概略構成を模式的に示すブロック図である。このモバイルルータMR (101)は、モバイルネットワークSubnet1(102)とSubnet2(103)のデフォルトゲートウェイとなる通信装置であり、無線アクセス手段を用いて無線通信を行う無線部(301)と、モバイルネットワーク側と通信を行う通信部(302)と、VPNのサブネットワークを配下のモバイルネットワークとする場合、VPNに関するアドレス変換等の処理を行うVPN処理部(303)と、自装置であるモバイルルータの移動に伴ってモバイルルータならびに配下のモバイルネットワークの位置登録を行い、パケット送受信のための設定を行うモバイルルータ処理部(304)を備えている。
【００１６】
次に動作について説明する。
図４はモバイルルータMR(101)が無線基地局１(110)の無線通信可能エリア内に移動した場合として、図１における無線基地局１(110)と接続した場合のシーケンス図である。
モバイルルータMR(101)は、アクセスルータの役割となる外部エージェントFA1(108)から出されるルータ広告を受信し(401)、無線基地局１(110)の無線通信可能エリア内に移動したことを検知し、移動後の気付けアドレスを確定する。配下のサブネットワークがそれぞれ別のVPNに属するので、まずはモバイルネットワークSubnet1(102)に対する位置登録として、VPN1(106)用のモバイルルータMR(101)のホームアドレス(HoA1)と気付けアドレス(CoA)およびモバイルネットワークSubnet1(102)のサブネットアドレスを含む位置登録情報を外部エージェントであるFA1(108)を中継してホームエージェントHA1(104)に送付する(402)。ホームエージェントHA1(104)の位置登録管理部(203)はモバイルルータMR1(101)とモバイルネットワークSubnet1(102)に対する位置登録処理(403)を行い、位置登録応答を外部エージェントFA1(108)を経由させてモバイルルータMR(101)へ送信する(404)。これにより、ホームエージェントHA1(104)とモバイルルータMR(101)間にパケット通信のためのパスが確立する。
【００１７】
またこれと並行して、ホームエージェントHA1(104)のHA連携処理部(204)が、この位置登録と関連して、ホームエージェントHA2(105)にモバイルルータMR(101)とモバイルネットワークSubnet2(103)の位置登録を通知することを導出し、位置登録通知メッセージ(405)をホームエージェントHA2(105)に送付する。位置登録通知(405)を受信したホームエージェントHA2(105)は、モバイルルータMR(101)とモバイルネットワークSubnet2(103)の位置登録処理(406)を行い、ホームエージェントHA1(104)に位置登録通知応答(407)を送信する。この段階で、VPN1(106)からモバイルネットワークSubnet1(102)宛のパケットならびにVPN2(107)からモバイルネットワークSubnet2(103)へのパケットが転送可能となる。
【００１８】
モバイルルータMR(101)はこれら処理と並行して、VPN2(107)用のモバイルルータMR(101)のホームアドレス(HoA2)と気付けアドレス(CoA)とモバイルネットワークSubnet2(103)のサブネットアドレスを含む位置登録を外部エージェントであるFA1(108)を中継してホームエージェントHA2(105)に送付する(408)。ホームエージェントHA2(105)の位置登録処理部(203)は既に位置登録は更新されているので、即位置登録応答を外部エージェントFA1(108)経由でモバイルルータMR(101)へ送付する(409)。ホームエージェントHA2(105)のHA連携処理部(204)は既にホームエージェントHA1(104)から情報を受信しているので、連携情報としてホームエージェントHA1(104)へ位置登録通知を送信することはしない。
尚、本シーケンス図では、モバイルルータMR1(101)がホームエージェントHA1(104)、ホームエージェントHA2(105)の順番で位置登録を送信している図を記述したが、この順序は任意でよい。
【００１９】
次にVPNに関するアドレス変換ならびに暗号化の動作についてその一例を図１８を用いて説明する。VPN1(106)とモバイルネットワークSubnet1(102)間はホームエージェントHA1(104)とモバイルルータMR(101)のモバイルルータ処理部(304)間におけるモバイルIPのトンネルを用いて暗号化を行い通信するものとする。VPN1(106)上のノードからモバイルネットワークSubnet1(102)上のノードへのパケットは、まずホームエージェントHA1(104)へ転送される(1801)。ホームエージェントHA1(104)はこのパケットをモバイルルータMR(101)から登録されている気付けアドレス(CoA)まで暗号化したトンネルで送信する。即ち送信元をホームエージェントHA1のローカルアドレス、送信先をグローバルCoA(GCoA)でパケットをトンネル化してVPNゲートウェイ装置GW1(112)に送信する(1802)。このとき、グローバルCoA(GCoA)はモバイルルータMR(101)から位置登録で通知された気付けアドレス（CoA）である。次にこのパケットはVPNゲートウェイ装置GW1(112)を通過時に、VPN内部となる送信元ローカルHA1アドレス(LHA1)がグローバルHA1アドレス(GHA1)に変換されてモバイルルータMR(101)のVPN処理部(303)に送信される(1803)。
【００２０】
モバイルルータMR(101)のVPN処理部(303)は、このパケットの送信先アドレスをグローバルからローカルアドレスに変換して同じモバイルルータMR(101)のモバイルルータ処理部(304)へ送信する(1804)。このアドレス変換ではグローバルCoAをローカルCoAに変換するが、ここでグローバル気付けアドレスとローカル気付けアドレスは等しく、いづれもルータ広告(401)の受信時に確定したグローバルな気付けアドレス(CoA)とする。モバイルルータ処理部(304)はこのパケットのデカプセル化を行い、取り出されたVPN1内のローカルパケットをモバイルネットワークSubnet１上に送信する。
【００２１】
逆に、モバイルネットワークSubnet1(102)からVPN1(106)宛のパケット(1806)は、モバイルルータ処理部(304)で、LCoA（ローカル気付けアドレス）= CoA（気付けアドレス）からグローバルHA1アドレス(GHA1)へトンネル化されてVPN処理部(303)に送信され(1807)、VPN処理部(303)でLCoA（ローカル気付けアドレス）がGCoA（グローバル気付けアドレス）に変換されて（このケースでは同じ値）VPNゲートウェイ装置GW1(112)に送信される(1808)。VPNゲートウェイ装置GW1(112)は、グローバルHA1アドレスGHA1をローカルHA1アドレスLHA1に変換してホームエージェントHA1(104)に送信し(1809)、ホームエージェントHA1(104)でトンネルをデカプセル化して生成されたローカルパケットをVPN1(106)上に送信する(1810)。
【００２２】
このように、グローバル気付けアドレス(GCoA)をローカルな気付けアドレス(LCoA)と同じアドレスとして扱い、ローカルホームエージェントのアドレスとグローバルなホームエージェントのアドレスを1対１に静的にVPNゲートウェイ装置で変換することで、他装置はグローバルなアドレスを考慮していればよい。以下、VPNにおけるアドレス変換や暗号処理は同様なものとして、詳細な記述は省略している。尚、本シーケンスでは暗号化はホームエージェントHA1(104)とモバイルルータ処理部(304)間のモバイルIPのトンネルを用いて行ったが、VPNゲートウェイ装置GW1(112)とVPN処理部(303)で別途暗号化トンネルを設けてもよい。
【００２３】
以上のように、一つのホームエージェントが受信した位置登録情報から別のVPNに属するサブネットワークの位置登録情報を導出し、別のVPNに存在するホームエージェントに通知し、別のホームエージェントが位置登録の更新を行うことを可能としたので、高速なハンドオーバー方式を得ることができる。
【００２４】
実施の形態２．
上記の実施の形態１では、モバイルルータが異なるVPNに所属するサブネットワークを配下のモバイルネットワークとして持ち、一方のVPNに存在するホームエージェントが受信した位置登録情報から他方のVPNに属するサブネットワークの位置登録情報を導出し、他方のホームエージェントへ通知することにより他方のVPNに属するサブネットワークの位置登録を更新するようにしたものであるが、次にモバイルルータが複数の無線アクセス手段を併用して地上ネットワークと接続し、例えばワイヤレスLAN(Local Area Network)と３G(3rd Generation)の通信や、ミリ波とLCX（Leaky Coaxial Cable）を併用して行う場合の端末移動管理システムの実施の形態を示す。
【００２５】
図５に、実施の形態２におけるこの発明のネットワーク構成を示す。
図５において、MR(501)はサブネットワークSubnet1(502)とSubnet2(503)を配下のモバイルネットワークとして持つモバイルルータで、無線Ａアクセス手段と無線Ｂアクセス手段の複数の無線アクセス手段を持つ。
HA(504)は移動端末ならびにモバイルネットワークの位置管理を行うホームエージェントで、モバイルルータMR(501)のホームエージェントである。(506)はモバイルルータMR(501)のホームネットワーク、FA1(108)とFA2(109)はモバイルルータMR(501)に対しては外部リンクとなる固定のIPネットワーク(114)上に存在する外部エージェント、(508)は外部エージェントFA1(108)に接続され、モバイルルータMR(501)に対して無線Ａのアクセス手段を提供する無線Ａネットワークで、(509)は無線Ａの基地局、(510)は外部エージェントFA2(109)に接続され、モバイルルータMR(501)に対して無線Ｂのアクセス手段を提供する無線Ｂネットワークで、(511)は無線Ｂの基地局である。
【００２６】
尚、図５では無線アクセス手段として無線Ａと無線Ｂの二種類を示したが、任意数の無線アクセス手段を設けることが可能である。また、外部エージェントをFA1(108)とFA2(109)の二つ、モバイルルータMR(501)配下のモバイルネットワーク（サブネットワーク）をSubnet1(502)とSubnet2(503)の二つ設定する構成を示したが、これ等は任意の数だけ設定することが可能である。さらに、外部エージェントFA1(108)ならびに外部エージェントFA2(109)にそれぞれ任意数の無線基地局を設定可能である。
【００２７】
図６は、この発明の実施の形態２にかかるホームエージェント(504)の概略構成を模式的に示すブロック図である。このホームエージェント(504)は、ホームネットワーク(506)、ならびにIPネットワーク(114)に接続される他の通信機器との通信を行う通信部(201)と、自装置が管理するモバイルルータMR(501)などの移動通信端末やモバイルネットワークの接続位置を管理する位置登録管理部(203)と、位置登録管理部(203)によって取得された移動端末の気付アドレスやモバイルネットワークのプレフィックスなどの位置登録情報を格納する位置登録情報格納部(205)と、自装置で管理する移動端末宛てのデータを位置登録情報に基づいて転送したり、自装置で管理する移動端末からのデータを宛先のノードに転送したりする処理を行う転送処理部(202)と、登録された位置登録情報からどの移動端末の、どの無線タイプに対する位置登録で、どの場所にいるかを判断し、その情報からその端末の他無線アクセス側が次にどこに移動するか確定できるか判断し、確定できる場合はその端末からの他無線アクセス手段に対する他位置登録情報が到着しなくてもその位置登録を更新する位置登録連携処理部(601)と、その位置登録連携処理部(601)が他無線アクセス手段からの位置登録を導出するために用いるデータが予め保持されている位置登録連携情報格納部(602)を備えて構成される。
【００２８】
このホームエージェント(504)により、一つの無線アクセス手段に対する位置登録から他無線アクセス手段に対する位置登録を確定し、その位置登録情報を受信する前に更新することができる。
【００２９】
図７は、この発明の実施の形態２にかかるモバイルルータMR(501)の概略構成を模式的に示すブロック図である。このモバイルルータMR(501)は、モバイルネットワークSubnet1(502)とSubnet2(503)のデフォルトゲートウェイとなる通信装置であり、無線Ａアクセス手段を用いて無線通信を行う無線Ａ部(703)と、無線Ｂアクセス手段を用いて無線通信を行う無線Ｂ部(704)を備える無線部(701)と、モバイルネットワーク側と通信を行う通信部(302)と、モバイルルータMR(501)の移動に伴ってモバイルルータMR(501)ならびに配下のモバイルネットワークの位置登録処理を行い、パケット送受信を行うモバイルルータ処理部(702)を備えている。
尚、図７では無線Ａアクセス手段と無線Ｂアクセス手段の二つの無線のための無線部を設けたが、この無線部は任意数を設けることが可能である。
【００３０】
次に動作について説明する。
図８はモバイルルータMR(501)が、図５に示す無線Ａアクセス手段における無線基地局１(509)の無線通信可能エリア内に移動し、無線Ａ基地局(509)と接続した場合のシーケンス図である。
モバイルルータMR(501)は、無線Ａ部(703)を用いて、アクセスルータの役割となる外部エージェントFA1(108)から出されるルータ広告を受信し(401)、無線Ａアクセス手段における無線基地局１(509)の無線通信可能エリア内に移動したことを検知し、移動後の気付けアドレスを確定し、モバイルルータMR(501)の無線Ａ用のホームアドレス(HoA1)と気付けアドレス(CoA1)と無線Ａで通信を行うモバイルネットワークSubnet1(502)のサブネットアドレスを含む位置登録情報を外部エージェントであるFA1(108)を中継してホームエージェントHA(504)に送付する(801)。
ホームエージェントHA(504)の位置登録管理部(203)はモバイルルータMR(501)とモバイルネットワークSubnet1(502)に対する位置登録処理(602)を行い、位置登録応答を外部エージェントFA1(108)を経由させてモバイルルータMR(501)へ送信する(803)。これにより、ホームエージェントHA(504)とモバイルルータMR(501)間の無線Aアクセス網を用いたパスが確立する。
【００３１】
また、ホームエージェントHA(504)の位置登録関連処理部(601)は、登録された位置登録が、モバイルルータMR(501)からの、無線Ａタイプに対する位置登録で、モバイルルータMR(501)が無線Ａ基地局(509)の通信可能範囲内の場所に存在することを判断し、その情報からモバイルルータMR(501)の無線Ｂアクセス側が次にどこと接続するかを導出する。導出結果が確定できた場合ホームエージェントHA(504)は、モバイルルータMR(501)からの無線Ｂアクセス手段に対する位置登録情報が到着しなくてもその位置登録を更新する位置登録関連処理(804)を実施する。これにより、ホームエージェントHA(504)とモバイルルータMR(501)間の無線Ｂアクセス網を用いたパスがホームエージェントHA(504)側が確立する。よって、ホームエージェントHA(504)は、無線Ａアクセス網を用いるモバイルネットワークSubunet1(502)宛パケット、ならびに、無線Ｂアクセス網を用いるモバイルネットワークSubnet2(503)宛パケットがホームエージェントHA(504)に到着した場合、両者ともモバイルルータMR(501)へ向けて転送を行う。
【００３２】
また、これと並行してモバイルルータMR(501)は無線Ｂ部(704)が無線Ｂ基地局(511)と接続した場合、アクセスルータの役割となる外部エージェントFA2(109)から出されるルータ広告を受信し(807)、無線Ｂ基地局(511)の通信可能範囲内の場所に移動したことを検知し、移動後の気付けアドレスを確定し、モバイルルータMR(501)の無線Ｂ用のホームアドレス(HoA2)と気付けアドレス(CoA2)と無線Ｂで通信を行うモバイルネットワークSubnet2(503)のサブネットアドレスを含む位置登録情報を外部エージェントであるFA2(109)を中継してホームエージェントHA(504)に送付する(808)。ホームエージェントHA(504)は既に無線Ａに対する位置登録からこの位置登録は更新されているので、位置登録応答を即モバイルルータMR(501)に送信する(809)。
【００３３】
尚、本シーケンス図では、モバイルルータMR(501)が無線Ａアクセス手段、無線Ｂアクセス手段の順番で位置登録情報を送信している図を記述したが、この順序は任意でよい。
【００３４】
以上のように、ホームエージェントが一つの無線アクセス手段に対する位置登録情報から別の無線アクセス手段に対する位置登録の更新を行うことを可能としたので、高速なハンドオーバを得ることができる。
【００３５】
実施の形態３．
上記実施の形態１では、ホームエージェントが一つの位置登録情報から他の位置登録情報を導出して、該当するホームエージェントに通知し、該当するホームエージェントがその位置登録の更新を行い、その位置登録に対応する移動端末へのパケットの通信を行うようにしたものであるが、次に、該当するホームエージェントはその位置登録の更新は行うが、移動端末へのパケットの転送は保留とし、本当の位置登録情報が到着した段階でパケットの転送を開始する移動端末位置管理システムの実施の形態を示す。
なお、この実施の形態３におけるネットワーク構成およびホームエージェント並びにモバイルルータの構成は実施の形態１と同様であるものとする。
【００３６】
図９はモバイルルータMR(101)が無線基地局１(110)の無線通信可能エリア内に移動した場合として、図１における無線基地局１(110)と接続した場合のシーケンス図である。
モバイルルータMR(101)は、アクセスルータの役割となる外部エージェントFA1(108)から出されるルータ広告を受信し(401)、無線基地局１(110)の無線通信可能エリア内に移動したことを検知し、移動後の気付けアドレスを確定する。配下のサブネットワークであるモバイルネットワークがそれぞれ別のVPNに属するので、まずはモバイルネットワークSubnet1(102)に対する位置登録として、VPN1(106)用のモバイルルータMR(101)のホームアドレス(HoA1)と気付けアドレス(CoA)とモバイルネットワークSubnet1(102)のサブネットアドレスを含む位置登録情報を外部エージェントであるFA1(108)を中継してホームエージェントHA1(104)に送付する(402)。ホームエージェントHA1(104)の位置登録管理部(203)はモバイルルータMR1(101)とモバイルネットワークSubnet1(102)に対する位置登録処理(403)を行い、位置登録応答を外部エージェントFA1(108)を経由させてモバイルルータMR(101)へ送信する(404)。これにより、ホームエージェントHA1(104)とモバイルルータMR(101)間に通信パスが確立し、ホームエージェントHA(104)はモバイルネットワークSubnet1(102)宛のパケットをモバイルルータMR(101)へ転送することができる。またこれと並行して、ホームエージェントHA1(104)のHA連携処理部(204)が、この位置登録と関連して、ホームエージェントHA2(105)にモバイルルータMR(101)とモバイルネットワークSubnet2(103)の位置登録情報を通知することを導出し、位置登録通知メッセージ(405)をホームエージェントHA2(105)に送付する。
【００３７】
位置登録通知メッセージ(405)を受信したホームエージェントHA2(105)は、VPN2(107)用のモバイルルータMR(101)のホームアドレス(HoA2)とモバイルネットワークSubnet2(103)の位置登録処理(901)を行い、ホームエージェントHA1(104)に位置登録通知応答(407)を送信する。これで、VPN2(107)からモバイルネットワークSubnet2(103)へのパケットを転送する設定はされるが、まだ本当の位置登録情報が到着しないので、実際のパケットは廃棄される(902)。モバイルルータMR(101)はこれら処理と並行して、VPN2(107)用のモバイルルータMR(101)のホームアドレス(HoA2)と気付けアドレス(CoA)とモバイルネットワークSubnet2(103)のサブネットアドレスを含む位置登録情報を外部エージェントであるFA1(108)を中継してホームエージェントHA2(105)に送付する(408)。モバイルルータMR(101)からの位置登録情報によりホームエージェントHA2(105)の位置登録管理部(203)はパケット転送開始指示(903)を行い保留となっていたパケット転送を開始し、位置登録応答を外部エージェントFA1(108)経由でモバイルルータMR(101)へ送付する(409)。ホームエージェントHA2(105)のHA連携処理部(204)は既にホームエージェントHA1(104)から情報を受信しているので、連携情報としてホームエージェントHA1(104)へ位置登録通知を送信することはしない。
【００３８】
尚、VPNにおけるアドレス変換や暗号処理はVPNのゲートウェイ装置(112), (113)とモバイルルータMR(101)のVPN処理部(303)間で処理されており、本シーケンス図では省略している。
また、本シーケンス図では、モバイルルータMR1(101)がホームエージェントHA1(104)、ホームエージェントHA2(105)の順番で位置登録情報を送信している図を記述したが、この順序は任意でよい。
【００３９】
以上のように、一つのホームエージェントが受信した位置登録情報から別のVPNに属するサブネットワークの位置登録情報を導出し、一つのホームエージェントは別のVPNに存在するホームエージェントに導出した位置登録情報を通知し、別のホームエージェントが位置登録の更新を行うが、実際のパケット転送は本当の位置登録情報が到着した段階で開始するようにしたので、モバイルルータ側の準備ができる前に無駄なパケットを送信することなしに、高速なハンドオーバー方式を得ることができる。
【００４０】
実施の形態４．
上記実施の形態２では、ホームエージェントが一つの位置登録情報から他の位置登録情報を導出して、その位置登録の更新を行い、他の位置登録に対応する移動端末へのパケットの通信を行うようにしたものであるが、次にホームエージェントは他の位置登録の更新は行うが、移動端末へのパケットの転送は保留とし、本当の位置登録情報が到着した段階でパケットの転送を開始する移動端末位置管理システムの実施の形態を示す。
なお、この実施の形態４におけるネットワーク構成およびホームエージェント並びにモバイルルータの構成は実施の形態２と同様であるものとする。
【００４１】
図１０はモバイルルータMR(501)が、図５における無線Ａアクセス手段における無線Ａ基地局(509)の無線通信可能エリア内に移動し、無線Ａ基地局(509)と接続した場合のシーケンス図である。
モバイルルータMR(501)は、無線Ａ部(703)を用いて、アクセスルータの役割となる外部エージェントFA1(108)から出されるルータ広告を受信し(401)、無線Ａ基地局(509)の無線通信可能エリア内に移動したことを検知し、移動後の気付けアドレスを確定し、モバイルルータMR(501)の無線Ａ用のホームアドレス(HoA1)と気付けアドレス(CoA1)と無線Ａで通信を行うモバイルネットワークSubnet1(502)のサブネットアドレスを含む位置登録情報を外部エージェントであるFA1(108)を経由してホームエージェントHA (504)に送付する(801)。
【００４２】
ホームエージェントHA(504)の位置登録管理部(203)はモバイルルータMR(501)とモバイルネットワークSubnet1(502)に対する位置登録処理(802)を行い、位置登録応答を外部エージェントFA1(108)を経由させてモバイルルータMR(501)へ送信する(803)。これにより、ホームエージェントHA(504)とモバイルルータMR(501)間の無線Ａアクセス網を用いたパスが確立し、モバイルネットワークSubnet1宛のユーザパケットはモバイルルータMR(501)へ転送される(805)。また、ホームエージェントHA(504)の位置登録関連処理部(601)は、登録された位置登録が、モバイルルータMR(501)からの無線Ａタイプに対する位置登録で、無線Ａ基地局(509)の場所を確定する情報であることから、その情報を基にモバイルルータMR(501)の無線Ｂアクセス側が次にどこと接続するかを導出する。導出結果が確定できた場合、ホームエージェントHA(504)の位置登録関連処理部(601)は、モバイルルータMR(501)からの無線Ｂアクセス手段に対する位置登録情報が到着しなくてもその位置登録を更新する位置登録関連処理(1001)を実施する。これにより、ホームエージェントHA(504)には、モバイルルータMR(501)へ無線Ｂアクセス網を用いて転送する設定が行われるが、モバイルネットワークSubnet2(503)宛パケットがホームエージェントHA(504)に到着しても、そのパケットを廃棄してパケット転送は保留とする(1002)。
【００４３】
また、これと並行してモバイルルータMR(501)は無線Ｂ部(704)が無線Ｂ基地局(511)と接続した場合、アクセスルータの役割となる外部エージェントFA2(109)から出されるルータ広告を受信し(807)、無線Ｂ基地局(511)の無線通信可能エリア内に移動したことを検知し、移動後の気付けアドレスを確定し、モバイルルータMR(501)の無線Ｂ用のホームアドレス(HoA2)と気付けアドレス(CoA2)と無線Ｂで通信を行うモバイルネットワークSubnet2(503)のサブネットアドレスを含む位置登録を外部エージェントであるFA2(109)を経由してホームエージェントHA(504)に送付する(808)。ホームエージェントHA(504)は既に無線Aに対する位置登録からこの位置登録は更新されているので、パケット転送指示（1001）を行ってユーザパケットの転送を開始し、位置登録応答(809)をモバイルルータMR(501)に送信する。これにより、モバイルネットワークSubnet2(503)宛パケットはホームエージェントHA(504)からモバイルルータMR(501)へ転送される(1004)。
【００４４】
尚、本シーケンス図では、モバイルルータMR(501)が無線Ａアクセス手段、無線Ｂアクセス手段の順番で位置登録情報を送信している図を記述したが、この順序は任意でよい。
【００４５】
以上のように、ホームエージェントが一つの無線アクセス手段に対する位置登録から別の無線アクセス手段に対する位置登録の更新を別の無線アクセス手段からの位置登録情報が到着する前に行うが、まだユーザパケット転送は保留とし、本当の位置登録情報が到着した段階でユーザパケットを転送するようにしたので、モバイルルータがまだ他の無線アクセス手段に対する通信準備ができていない段階でホームエージェントが無駄なパケットを転送することがなく、高速にハンドオーバーすることができる。
【００４６】
実施の形態５．
上記実施の形態１では、モバイルルータは一つのVPNに属するサブネットワークに対する位置登録情報をそのサブネットワークが属するVPNに存在するホームエージェントに送付するとともに、他のVPNに属するサブネットワークに対する位置登録情報をそのVPNに属するホームエージェントに送付し、位置登録情報を受信したホームエージェントは受信した位置登録情報から他のVPNの位置登録情報を導出して、該当するホームエージェントに通知し、該当するホームエージェントはまだ本当の位置登録情報が到着していなくてもその位置登録の更新を行い、その位置登録に対応する移動端末へのパケットの通信を行うようにしたものである。次にモバイルルータは複数の位置登録情報を送信するのではなく、一つの位置登録情報の送信のみを行い、送信されたホームエージェントが一つの位置登録から他のVPNの位置登録情報を導出して、該当ホームエージェントに送信し、該当するホームエージェントがその位置登録の更新を行い移動端末へのパケット転送を開始する移動端末位置管理システムの実施の形態を示す。
なお、この実施の形態５におけるネットワーク構成およびホームエージェント並びにモバイルルータの構成は実施の形態１と同様であるものとする。
【００４７】
図１１はモバイルルータMR(101)が無線基地局１(110)の無線通信可能エリア内に移動した場合として、図１における無線基地局１(110)と接続した場合のシーケンス図である。
モバイルルータMR(101)は、アクセスルータの役割となるFA1(108)から出されるルータ広告を受信し(401)、無線基地局１(110)の無線通信可能エリア内に移動したことを検知し、移動後の気付けアドレスを確定する。配下のサブネットワークがそれぞれ別のVPNに属するが、VPN1(106)に属するサブネットワークとしてのモバイルネットワークSubnet1(102)に対する位置登録のみ実施するため、VPN1(106)用のモバイルルータMR(101)のホームアドレス(HoA1)と気付けアドレス(CoA)とモバイルネットワークSubnet1(102)のサブネットアドレスを含む位置登録情報を外部エージェントであるFA1(108)を経由してホームエージェントHA1(104)に送付する(402)。
【００４８】
ホームエージェントHA1(104)の位置登録管理部(203)はモバイルルータMR1(101)とモバイルネットワークSubnet1(102)に対する位置登録処理(403)を行い、位置登録応答を外部エージェントFA1(108)を経由させてモバイルルータMR(101)へ送信する(404)。位置登録応答を受信したモバイルルータMR(101)は、VPN2(107)用のホームアドレスHoA2に対する位置登録情報も送信して、応答を受信した場合と同様にモバイルネットワークSubnet2(103)とホームエージェントHA2(107)に対するパス設定を完了させるVPN2(107)用のホームアドレスHoA2応答処理(1101)を行う。これと並行して、ホームエージェントHA1(104)のHA連携処理部(204)が、この位置登録と関連して、ホームエージェントHA2(105)にモバイルルータMR(101)とモバイルネットワークSubnet2(103)の位置登録情報を通知することを判断し、位置登録通知メッセージ(405)をホームエージェントHA2(105)に送付する。位置登録通知メッセージ(405)を受信したホームエージェントHA2(105)は、モバイルルータMR(101)とモバイルネットワークSubnet2(103)の位置登録処理(901)を行い、ホームエージェントHA1(104)に位置登録通知応答(407)を送信する。これで、VPN2(107)からモバイルネットワークSubnet2(103)へのパケットを転送するパスが確立する。
【００４９】
また、本シーケンス図では、モバイルルータMR1(101)がホームエージェントHA1(104)、ホームエージェントHA2(105)の順番で位置登録情報を送信している図を記述したが、この順序は任意でよい。
【００５０】
以上のように、モバイルルータが配下に別のVPNに属するサブネットワークをもつ場合、どれか一つのVPNに対する位置登録情報の送信のみ行い、受信した一つのホームエージェントがその位置登録情報から別のVPNに属するサブネットワークの位置登録情報を導出し、別のVPNに存在するホームエージェントに通知し、別のホームエージェントが位置登録の更新を行い、パケット転送を開始するようにしたので、不必要なメッセージ送信を省略することを可能とする送信位置登録管理システムを得ることができる。
【００５１】
実施の形態６．
上記の実施の形態１、実施の形態３、実施の形態５では、ホームエージェントのHA連携情報格納部(206)には予め連携情報が格納されているようにしたものであるが、次にモバイルルータが初期動作として連携情報をホームエージェントに通知する手段をもうけた移動端末位置管理システムの実施の形態を示す。
尚、この実施の形態６におけるネットワーク構成およびホームエージェント並びにモバイルルータの構成は実施の形態１と同様であるとする。
【００５２】
図１２はモバイルルータMR(101)が図１における無線基地局１(110)のエリアにて初期動作として位置登録連携情報を通知した場合のシーケンス図である。
モバイルルータMR(101)は、位置登録関連情報として、VPN1(106)用のホームアドレス(HoA1)とVPN2用のホームアドレス(HoA2)が同じ気付けアドレス(CoA)をもって一緒に移動すること、VPN1(106)用のサブネットワークとしてSubnet1(102)を、VPN2(107)用のサブネットワークとしてSubnet2をモバイルネットワークとしてもつことを位置登録関連情報として、外部エージェントであるFA1(108)を中継してVPN1(106)用のホームエージェントHA1(104)へ通知する（1201）。ホームエージェントHA1(104)は位置登録関連情報格納処理(1202)を行い、位置登録関連情報をHA連携情報格納部(206)へ格納し、位置登録連携情報応答をモバイルルータMR(101)に送信する(1203)。また、モバイルルータMR(101)は、同じ位置登録関連情報をVPN2(107)のホームエージェントHA2(105)へ外部エージェントであるFA1(108)を中継して通知する(1204)。ホームエージェントHA2(105)は位置登録関連情報格納処理(1206)を行い、位置登録関連情報をHA連携情報格納部(206)へ格納し、位置登録連携情報応答をモバイルルータMR(101)に送信する(1205)。
【００５３】
尚、本シーケンス図では、モバイルルータMR1(101)がホームエージェントHA1(104)、ホームエージェントHA2(105)の順番で位置登録関連情報通知を送信している図を記述したが、この順序は任意でよい。
また、実施の形態５のように一つのホームエージェント(HA)にのみ位置登録情報の送信を行い、それに基づき受信したホームエージェントが他方のホームエージェントに更新用の位置登録情報を送信する場合、モバイルルータMR(101)は位置登録を行うホームエージェントにのみ位置登録関連情報通知を送信すればよい。
【００５４】
以上のように、モバイルルータが位置登録関連情報を該当するホームエージェントに通知し、ホームエージェントがその情報をHA連係情報格納部(206)に格納するようにしたので、モバイルルータが配下にもつサブネットワークなどの構成が変更になった場合でも容易に高速ハンドオーバーを行うことが可能となる。
【００５５】
実施の形態７．
上記の実施の形態２、実施の形態４では、ホームエージェントの位置登録連携情報格納部(602)には予め連携情報が格納されているようにしたものであるが、次にモバイルルータが初期動作として連携情報をホームエージェントに通知する手段をもうけた端末移動位置管理システムの実施の形態を示す。
尚、この実施の形態７におけるネットワーク構成およびホームエージェント並びにモバイルルータの構成は実施の形態２と同様であるとする。
【００５６】
図１３はモバイルルータMR(501)が、図５における無線Ａアクセス手段における無線Ａ基地局(509)のエリアにて初期動作として位置登録連携情報を通知した場合のシーケンス図である。
モバイルルータMR(501)は、位置登録関連情報として、無線Ａ用のホームアドレス(HoA1)と無線Ｂ用のホームアドレス(HoA2)が一緒に移動すること、無線Ａ用のサブネットワークとしてSubnet1(502)を、無線Ｂ用のサブネットワークとしてSubnet2(503)をモバイルネットワークとして持つことを位置登録関連情報としてホームエージェントHA(504)へ通知する(1301)。ホームエージェントHA(504)は位置登録関連情報格納処理(1302)を行い、位置登録関連情報を位置登録連携情報格納部(602)へ格納し、位置登録連携情報応答をモバイルルータMR(501)に送信する(1303)。
【００５７】
以上のように、モバイルルータが無線Ａ基地局(509)のエリア移動したとき、初期動作として位置登録関連情報を該当するホームエージェントに通知し、ホームエージェントがその情報を位置登録連係情報格納部(602)に格納するようにしたので、モバイルルータが利用可能な異種無線アクセス手段や配下のモバイルネットワークなどの構成が変更になった場合でも、容易に高速ハンドオーバーを行うことが可能となる。
【００５８】
実施の形態８．
上記実施の形態６では、モバイルルータが初期動作として自装置内で関連をもつ位置登録関連情報をホームエージェントに通知するようにしたものであるが、次にそれぞれ一つのVPNに属するサブネットワークをモバイルネットワークとしてもつ複数のモバイルルータが連携して同時に移動する場合の移動端末位置管理システムの実施の形態を示す。
【００５９】
この実施の形態８におけるネットワーク構成を図１４に示す。
図１４において、MR1(1401)はVPN1(106)のサブネットワークであるSubnet1(102)をモバイルネットワークとしてもつモバイルルータ、MR2(1402)はVPN2(107)のサブネットワークであるSubnet2(103)をモバイルネットワークとしてもつモバイルルータであり、これらは相互に通信可能なようにネットワークで結合し、同じ車両内に存在するなどして一緒に移動する。その他の装置については図１と同様である。
【００６０】
図１５はモバイルルータMR1(1401)ならびにモバイルルータMR2(1402)が無線基地局１(110)のエリアにて初期動作として位置登録情報を相互に通知し、それにより得られた位置登録連携情報を、それぞれのホームエージェントHA1(104)、HA2(105)に通知する場合のシーケンス図である。
モバイルルータMR1(1401)は、位置登録情報としてホームアドレスがHoA1で、VPN1(106)に属するサブネットワークSubnet1(102)をモバイルネットワークとして持つことを、他モバイルルータMR2(1402)に通知する(1501)。また、モバイルルータMR2(1402)は位置登録情報としてホームアドレスがHoA2で、VPN2(107)に属するサブネットワークSubnet2(103)をモバイルネットワークとして持つことを、他モバイルルータMR1(1401)に通知する(1502)。こうして関連のある位置登録情報を取得したモバイルルータMR(1401)は、位置登録関連情報として、VPN1(106)用のホームアドレス(HoA1)とVPN2用のホームアドレス(HoA2)が同じ気付けアドレスをもって一緒に移動すること、VPN1(106)用のサブネットワークとしてSubnet1(102)を、VPN2(107)用のサブネットワークとしてSubnet2をモバイルネットワークとしてもつことを位置登録関連情報として、外部エージェントであるFA1(108)を中継してVPN1(106)用のホームエージェントHA1(104)へ通知する（1503）。
【００６１】
ホームエージェントHA1(104)は位置登録関連情報格納処理(1202)を行い、位置登録関連情報をHA連携情報格納部(206)へ格納し、位置登録連携情報応答をモバイルルータMR1(1401)に送信する(1504)。また、同じく関連のある位置登録情報を取得したモバイルルータMR2(1402)は、位置登録関連情報を外部エージェントであるFA1(108)を中継してVPN2(107)のホームエージェントHA2(105)へ通知する(1505)。ホームエージェントHA2(105)は位置登録関連情報格納処理(1206)を行い、位置登録関連情報をHA連携情報格納部(206)へ格納し、位置登録連携情報応答をモバイルルータMR2(1402)に送信する(1506)。
尚、本シーケンス図では、ホームエージェントHA1(104)、ホームエージェントHA2(105)の順番で位置登録関連情報通知を送信している図を記述したが、この順序は任意でよい。
【００６２】
以上のように、移動車両内にそれぞれ一つのVPNに属するサブネットワークをもつモバイルルータが複数存在し、それらが初期動作として位置登録情報を相互に通知し、得られた位置登録情報の組をホームエージェントに通知するようにしたので、複数モバイルルータが一緒に移動する場合においても、高速にハンドオーバーすることが可能となる。
【００６３】
実施の形態９．
上記の実施の形態７では、モバイルルータが初期動作として自装置内で関連をもつ位置登録関連情報をホームエージェントに通知するようにしたものであるが、次にそれぞれ一つの無線アクセス手段をもつ複数のモバイルルータが連携して同時に移動する場合の移動端末位置管理システムの実施の形態を示す。
【００６４】
この実施の形態９におけるネットワーク構成を図１６に示す。
図１６において、MR1(1601)は無線Ａのアクセス手段を持ち、サブネットワークとしてモバイルネットワークSubnet1(102)をもつモバイルルータ、MR2(1602)は無線Ｂのアクセス手段を持ち、サブネットワークとしてモバイルネットワークSubnet2(103)をもつモバイルルータであり、これらは相互に通信可能なようにネットワークで結合し、同じ車両内に存在するなどして一緒に移動する。その他の装置については図５と同様である。
【００６５】
図１７はモバイルルータMR1(1601)ならびにモバイルルータMR2(1602)が、無線Ａアクセス手段における無線Ａ基地局(509)のエリアにて初期動作として位置登録情報を相互に通知し、代表モバイルルータが無線Ａを用いて位置登録連携情報をホームエージェントHA(504)へ通知した場合のシーケンス図である。
モバイルルータMR1(1601)は、位置登録情報として無線Ａ用のホームアドレス(HoA1)とホームエージェントHA(504)と無線Ａ用のサブネットワークとしてSubnet1(502)をモバイルネットワークとして持つことを他のモバイルルータMR2(1602)に通知し(1701)、モバイルルータMR2(1602)は位置登録情報として無線Ｂ用のホームアドレス(HoA2)とホームエージェントHA(504)と無線Ｂ用のサブネットワークとしてSubnet2(503)をモバイルネットワークとして持つことを他のモバイルルータMR1(1601)に通知する(1702)。該当ホームエージェントが同じなので、代表となるモバイルルータMR1(1601)が、位置登録関連情報として、無線Ａ用のホームアドレス(HoA1)と無線Ｂ用のホームアドレス(HoA2)が一緒に移動すること、無線Ａ用のサブネットワークとしてSubnet1(502)を、無線B用のサブネットワークとしてSubnet2(503)をモバイルネットワークとして持つということを位置登録関連情報としてホームエージェントHA(504)へ通知する(1301)。ホームエージェントHA(504)は位置登録関連情報格納処理(1302)を行い、位置登録関連情報を位置登録連携情報格納部(602)へ格納し、位置登録連携情報応答をモバイルルータMR1(1601)に送信する(1303)。
【００６６】
以上のように、移動車両内にそれぞれ一つの無線アクセス手段をもつモバイルルータが複数存在し、それらが初期動作として位置登録情報を相互に通知し、得られた位置登録連係情報をホームエージェントに通知するようにしたので、複数モバイルルータが一緒に移動する場合においても、高速にハンドオーバーすることが可能となる。
【産業上の利用可能性】
【００６７】
この発明は、旅客サービス通信と業務用通信という具合に、通信を論理的／物理的に分離して移動する乗り物（例えば、列車、航空機、バス等）の無線ＩＴシステム構築に有効なものである。
【図面の簡単な説明】
【００６８】
【図１】この発明の端末移動管理システムにおける実施の形態１のネットワーク構成図である。
【図２】実施の形態１にかかるホームエージェントの概略構成を模式的に示すブロック図である。
【図３】実施の形態１にかかるモバイルルータの概略構成を模式的に示すブロック図である。
【図４】実施の形態１にかかるモバイルルータが移動により無線基地局と接続する動作シーケンス図である。
【図５】この発明の実施の形態２におけるネットワーク構成図である。
【図６】実施の形態２にかかるホームエージェントの概略構成を模式的に示すブロック図である。
【図７】実施の形態２にかかるモバイルルータの概略構成を模式的に示すブロック図である。
【図８】実施の形態２にかかるモバイルルータが移動により無線Ａ基地局と接続する動作シーケンス図である。
【図９】実施の形態３にかかるモバイルルータが移動により無線基地局と接続する動作シーケンス図である。
【図１０】実施の形態４にかかるモバイルルータが移動により無線Ａ基地局と接続する動作シーケンス図である。
【図１１】実施の形態５にかかるモバイルルータが移動により無線基地局と接続する動作シーケンス図である。
【図１２】実施の形態６にかかるモバイルルータが初期動作として位置登録連携情報を通知する動作シーケンス図である。
【図１３】実施の形態７にかかるモバイルルータが初期動作として位置登録連携情報を通知する動作シーケンス図である。
【図１４】実施の形態８におけるネットワーク構成図である。
【図１５】実施の形態８にかかる各モバイルルータが初期動作として位置登録情報を相互に通知し、その位置登録連携情報をそれぞれのホームエージェントに通知する動作シーケンス図である。
【図１６】実施の形態９におけるネットワーク構成図である。
【図１７】実施の形態８にかかる各モバイルルータが初期動作として位置登録情報を相互に通知し、代表モバイルルータが位置登録連携情報をホームエージェントへ通知する動作シーケンス図である。
【図１８】実施の形態１にかかるVPNに関するアドレス変換ならびに暗号化の動作シーケンス図である。
【符号の説明】
【００６９】
101，501；モバイルルータMR、102，502；モバイルネットワークSubnet1、103，503；モバイルネットワークSubnet2、104；ホームエージェントHA1、105；ホームエージェントHA2、106；VPN1、107；VPN2、108；外部エージェントFA1、109；外部エージェントFA2、110；無線基地局1、111；無線基地局2、112； VPNゲートウェイ装置GW1、113； VPNゲートウェイ装置GW2、114；IPネットワーク、201；通信部、202；転送処理部、203；位置登録管理部、204；HA連携処理部、205位置登録情報格納部、206；HA連携情報格納部、301；無線部、302；通信部、303；VPN処理部、304；モバイルルータ処理部、504；ホームエージェントHA、506；ホームネットワーク、508；無線Ａネットワーク、509；無線Ａ基地局、510；無線Ｂネットワーク、511；無線Ｂ基地局、601；位置登録連携処理部、602；位置登録連携情報格納部、701；無線部、702；モバイルルータ処理部、703；無線Ａ部、704；無線Ｂ部、1401，1601；モバイルルータMR1、1402，1602；モバイルルータMR2。
【図１】
0004541984.tif 000002
【図２】
0004541984.tif 000003
【図３】
0004541984.tif 000004
【図４】
0004541984.tif 000005
【図５】
0004541984.tif 000006
【図６】
0004541984.tif 000007
【図７】
0004541984.tif 000008
【図８】
0004541984.tif 000009
【図９】
0004541984.tif 000010
【図１０】
0004541984.tif 000011
【図１１】
0004541984.tif 000012
【図１２】
0004541984.tif 000013
【図１３】
0004541984.tif 000014
【図１４】
0004541984.tif 000015
【図１５】
0004541984.tif 000016
【図１６】
0004541984.tif 000017
【図１７】
0004541984.tif 000018
【図１８】
0004541984.tif 000019